(57)【要約】【課題】内視鏡の送気、送水路に送気、送水装置から延びる送気、送水管とを簡易な操作により確実に接続することができ、使用後の内視鏡の洗浄、消毒作業を容易とする接続構造等を提供する。【解決手段】内視鏡の先端部に連続する送気、送水路４０の接続端部に設けられた雌口金８と、送気、送水装置から延びる送気、送水管を接続する接続口１１を有する接続アダプタ１０に設けられ、雌口金８に嵌合接続される雄口金９と、雄口金９に保持され、雌口金８との嵌合下での操作により偏心軸周りに回転し、雌口金の開口部内周に周設された鍔状の係合部８０に係合して雄口金９を抜け止め固定する回転環１００とを備える。【選択図】図２
2020174793.tif 000002
【特許請求の範囲】
【請求項１】
内視鏡の先端部に連続する送気、送水路に、送気、送水装置から延びる送気、送水管を接続する接続構造において、
前記送気、送水路の接続端部に設けられた円筒形の雌口金と、
前記送気、送水管の接続端部に設けられ、前記雌口金に嵌合接続される円筒形の雄口金と、
該雄口金に保持され、前記雌口金との嵌合下での操作により該雌口金の内周部に係合して前記雄口金を抜け止め固定するロック部材と
を備える接続構造。
【請求項２】
前記ロック部材は、
前記雄口金に偏心軸周りでの回転可能に外嵌保持され、所定の回転位置で前記雌口金に係合する回転環を備える請求項１に記載の接続構造。
【請求項３】
前記回転環の回転を、前記雌口金との係合位置及び非係合位置で夫々規制する規制部を備える請求項２に記載の接続構造。
【請求項４】
前記ロック部材は、
前記雄口金に外嵌保持され、前記雌口金との嵌合下で弾性的に拡径して該雌口金に係合する止め輪と、
前記雄口金に軸長方向への移動可能に外嵌保持され、所定の移動位置で前記止め輪を拡径方向に付勢する移動環とを備える請求項１に記載の接続構造。
【請求項５】
前記移動環は、前記雄口金の外周に形成されたねじ部に螺合されており、回転操作により軸長方向に螺進移動する請求項４に記載の接続構造。
【請求項６】
内視鏡の送気、送水路に送気、送水装置を接続する接続アダプタにおいて、
前記送気、送水装置から延びる送気、送水管が接続される第１接続口と、
炭酸ガスボンベが接続される第２接続口と、
前記第１接続口及び第２接続口に連続する通気、通水路と、
該通気、通水路の端部に設けられ、前記送気、送水路の接続端部に設けられた雌口金に嵌合接続される雄口金と、
該雄口金に保持され、前記雌口金との嵌合下での操作により該雌口金の内周部に係合して前記雄口金を抜け止め固定するロック部材と
を備える接続アダプタ。
【請求項７】
先端部に連続する送気、送水路と、
該送気、送水路に送気、送水装置を接続する雌口金が外表面と面一の開口を有して埋設されたコネクタ部と
を備える内視鏡。
【発明の詳細な説明】
【技術分野】
【０００１】
本発明は、内視鏡の送気、送水路への接続構造等に関する。
【背景技術】
【０００２】
内視鏡は、体腔内に挿入することで所望の箇所の観察、処置を可能とする医療用機器であり、体腔内に挿入される先端部からの送気、送水を可能としている（例えば、特許文献１参照）。送気は、体腔内への挿入時に体腔を膨らませるために実施され、処置内容によっては、体腔内の滞留ガスを不燃性の炭酸ガス（ＣＯ2 ガス）に置換するために実施される。送水は、先端部に設けられた撮像用の窓部の洗浄、体腔内の観察、処置部位の洗浄等を目的として実施される。
【０００３】
送気、送水は、内視鏡の先端部に連続する送気、送水路に、送気、送水装置から延びる送気、送水管を接続することで実施される。送気、送水路と送気、送水管とは、内視鏡のコネクタ部において、夫々の接続端部に設けた雌口金及び雄口金を嵌め合わせて接続されており、送気、送水源からの送気、送水は、送気管、送水管及び送気、送水路を経て先端部から送り出される。
【先行技術文献】
【特許文献】
【０００４】
【特許文献１】特許第２６２７５２０号公報
【発明の概要】
【発明が解決しようとする課題】
【０００５】
以上の如き送気、送水装置において、送気、送水路と送気、送水管との接続は、内視鏡の使用中における不可避の外力の作用時においても維持される必要がある。特許文献１には、送気、送水路の端部の雌口金をコネクタ部の外面に突設し、この雌口金に送気、送水管の端部に設けた雄口金を嵌め合わせ、雌口金の外周に形成されたねじ部に螺合する環状の押えナットの締め付けにより雄口金を押えることで接続状態を維持する接続構造が開示されている。
【０００６】
この接続構造においては、押えナットの締め付け操作に手間を要し、不完全な締め付けがなされた場合、接続不良が生じる虞がある。また、前述した炭酸ガスの送気は、送気、送水路の端部に同様の接続構造にて接続された接続アダプタを介して行われるが、締め付けが不完全な場合、高圧の炭酸ガスの漏れ出し、更には、雄口金の抜けが懸念される。
【０００７】
一方、内視鏡は、使用後に洗浄、消毒して保管されるが、コネクタ部の外面に突設された雌口金、及びこの雌口金の外周に形成されたねじ部が、洗浄、消毒作業を阻害する上、洗浄、消毒作業中に内視鏡の他部、特に、体腔内への挿入部に含まれる軟性部を衝突により傷付ける虞があり、慎重な作業を強いられるという問題もある。
【０００８】
本開示の目的は、送気、送水路と送気、送水管との確実な接続を簡易な操作により実現し、また使用後の内視鏡の洗浄、消毒作業を容易化することである。
【課題を解決するための手段】
【０００９】
本開示に係る接続構造は、内視鏡の先端部に連続する送気、送水路に、送気、送水装置から延びる送気、送水管を接続する接続構造において、前記送気、送水路の接続端部に設けられた円筒形の雌口金と、前記送気、送水管の接続端部に設けられ、前記雌口金に嵌合接続される円筒形の雄口金と、該雄口金に保持され、前記雌口金との嵌合下での操作により該雌口金の内周部に係合して前記雄口金を抜け止め固定するロック部材とを備える。
【００１０】
また、前記ロック部材は、前記雄口金に偏心軸周りでの回転可能に外嵌保持され、所定の回転位置で前記雌口金に係合する回転環を備える。
【００１１】
また、前記回転環の回転を、前記雌口金との係合位置及び非係合位置で夫々規制する規制部を備える。
【００１２】
また、前記ロック部材は、前記雄口金に外嵌保持され、前記雌口金との嵌合下で弾性的に拡径して該雌口金に係合する止め輪と、前記雄口金に軸長方向への移動可能に外嵌保持され、所定の移動位置で前記止め輪を拡径方向に付勢する移動環とを備える。
【００１３】
また、前記移動環は、前記雄口金の外周に形成されたねじ部に螺合されており、回転操作により軸長方向に螺進移動する。
【００１４】
また、本開示に係る接続アダプタは、内視鏡の送気、送水路に送気、送水装置を接続する接続アダプタにおいて、前記送気、送水装置から延びる送気、送水管が接続される第１接続口と、炭酸ガスボンベが接続される第２接続口と、前記第１接続口及び第２接続口に連続する通気、通水路と、該通気、通水路の端部に設けられ、前記送気、送水路の接続端部に設けられた雌口金に嵌合接続される雄口金と、該雄口金に保持され、前記雌口金との嵌合下での操作により該雌口金の内周部に係合して前記雄口金を抜け止め固定するロック部材とを備える。
【００１５】
また、本開示に係る内視鏡は、先端部に連続する送気、送水路と、該送気、送水路に送気、送水装置を接続する雌口金が外表面と面一の開口を有して埋設されたコネクタ部とを備える。
【発明の効果】
【００１６】
本開示によれば、送気、送水路と送気、送水管とを簡易な操作により確実に接続することができ、使用後の内視鏡の洗浄、消毒作業が容易になる。
【図面の簡単な説明】
【００１７】
【図１】内視鏡の外観図である。
【図２】実施の形態１に係る接続構造を示す断面図である。
【図３】雄口金及び回転環の斜視図である。
【図４】回転環を保持した雄口金を接続アダプタに取り付けた状態を示す側面図である。
【図５】送気、送水口への接続アダプタの接続手順の説明図である。
【図６】従来の送気、送水口への接続アダプタの接続状態を示す断面図である。
【図７】実施の形態２に係る接続構造の説明図である。
【図８】送気、送水口への接続アダプタの接続手順の説明図である。
【発明を実施するための形態】
【００１８】
以下、本開示の実施の形態を図面に基づき説明する。
（実施の形態１）
図１は、内視鏡の外観図である。図示の如く内視鏡１は、挿入部２、操作部３、ライトガイド管４及びコネクタ部５を備えている。挿入部２は、体腔内に挿入される部分であり、長尺の軟性部２０と、該軟性部２０の一端に湾曲部２１を介して連結された先端部２２とを備えている。軟性部２０の他端は、操作部３に連結されている。ライトガイド管４は、操作部３に一端を連結され挿入部２と異なる向きに延びており、コネクタ部５は、ライトガイド管４の他端に連結されている。
【００１９】
操作部３は、使用者により把持されて各種の操作を行うために設けてあり、湾曲操作ノブ３０、送気、送水ボタン３１及び複数のリモートコントロールボタン３２等を備えている。湾曲操作ノブ３０は、操作部３及び軟性部２０の内部に通したワイヤ（図示せず）により湾曲部２１に連結されている。湾曲部２１は、湾曲操作ノブ３０の操作により、図１中に２点鎖線により示す如く湾曲し、体腔内で先端部２２の向きが変化する。先端部２２には、撮像素子を用いた撮像ユニット（図示せず）及び照明光の出射部が、夫々の窓部に面して組み込まれており、先端部２２の向きを変えることにより、照明光による照明下での撮像箇所を自在に変更することができる。
【００２０】
コネクタ部５は、外部機器との接続のために設けてあり、光源差込部５０、電気コネクタ５１、送気、送水口５２、副送水口５３等を備えている。光源差込部５０及び電気コネクタ５１は、コネクタ部５の端面に同向きに突設されており、照明光の光源を内蔵するプロセッサ装置６に設けた夫々の差込口６０、６１に差し込み接続される。なお、図１中には、プロセッサ装置６の外郭形状が示されている。
【００２１】
光源差込部５０は、ライトガイド管４及び操作部３の内部を通り、挿入部２の先端部２２にまで延びる光ファイバの端部を保持しており、該端部は、プロセッサ装置６内の光源（図示せず）に対向する。光源は、キセノンランプ等の高輝度光を発光するランプであり、該光源の発光は、光ファイバにより導光され、挿入部２の先端部２２から出射される。
【００２２】
電気コネクタ５１は、ライトガイド管４の内部を通るケーブル（図示せず）により操作部３に接続され、更に、挿入部２の先端部２２にまで延びるケーブル（図示せず）により、先端部２２に組み込まれた前述した撮像ユニットに接続されている。
【００２３】
送気、送水口５２及び副送水口５３は、コネクタ部５の側面に並設されている。コネクタ部５の内部において、送気、送水口５２には、送気、送水路４０の一端が後述の如く接続され、副送水口５３には、副送水路４１の一端が接続されている。送気、送水路４０及び副送水路４１は、ライトガイド管４、操作部３及び挿入部２の内部を通して先端部２２にまで延設され、夫々の他端は、先端部２２に開口している。図１中には、送気、送水路４０及び副送水路４１を一つにまとめて破線により示してある。
【００２４】
送気、送水口５２には、送気、送水装置７が接続される。送気、送水装置７は、送水ボトル７０及び加圧ポンプ７１を備える。送水ボトル７０は、適量の滅菌水を入れ、キャップ７２により気密に封止して使用される。キャップ７２の中央部には、送気、送水管７３の一端が接続されている。送気、送水管７３は、送水ボトル７０内で滅菌水の水面下に開口する送水チューブと、送水ボトル７０の上部空間に開口する送気チューブとを備えており、他端に設けた接続プラグ７４により、コネクタ部５の送気、送水口５２に後述する接続アダプタ１０を介して接続される。
【００２５】
図１中に模式的に示す加圧ポンプ７１は、キャップ７２の側面に突設されたノズル７５に接続され、該ノズル７５を介して送水ボトル７０の上部空間に加圧空気を送り込むように構成されている。加圧ポンプ７１が駆動された場合、送水ボトル７０内の滅菌水は、加圧空気の作用により送水チューブを経て送気、送水管７３に送り出され、送水ボトル７０上部の空気は、送気チューブを経て送気、送水管７３に送り出される。
【００２６】
加圧ポンプ７１は、プロセッサ装置６の内部に設け、送水ボトル７０は、プロセッサ装置６の筐体側面に設けた接続口にノズル７５を差し込むことで加圧ポンプ７１に接続される構成とすることができる。この構成によれば、送水ボトル７０は、プロセッサ装置６を支持体として安定して支持され、送水ボトル７０の送気、送水管７３は、光源差込部５０及び電気コネクタ５１によりプロセッサ装置６に接続されるコネクタ部５の送気、送水口５２に容易に接続することができる。
【００２７】
図２は、実施の形態１に係る接続構造を示す断面図である。送気、送水口５２は、コネクタ部５の側壁を貫通する貫通孔に雌口金８を埋設して構成されている。雌口金８は、一側の内径を小、他側の内径を大とした円筒体であり、大径側の開口をコネクタ部５の外表面と面一に揃えて埋設されている。雌口金８の大径側開口部には、内向きに張り出す鍔状の係合部８０が周設されている。雌口金８の小径側開口部は、底板８１により気密に覆われている。底板８１の中央部には、雌口金８の内部に向けて通水筒８２が同軸的に突設され、通水筒８２の周囲には、厚さ方向に貫通する通気孔８３が形成されている。通水筒８２の外周にはシール用のＯリング８４が巻装されている。通水筒８２及び通気孔８３には、コネクタ部５の内部で、前述した送気、送水路４０の端部が接続されている。
【００２８】
以上の如き送気、送水口５２には、送気、送水装置７から延びる送気、送水管７３が、接続アダプタ１０を介して接続される。接続アダプタ１０は、円筒状をなし、一側端部には、送気、送水管７３の端部に設けた接続プラグ７４を接続するための接続口１１（第１接続口）が設けられている。接続口１１の構成は、コネクタ部５に設けられた送気、送水口５２と同様である。
【００２９】
接続アダプタ１０の外周面には、炭酸ガス（ＣＯ2 ガス）の導入ノズル１２（第２接続口）が突設されている。導入ノズル１２には、接続アダプタ１０の内部に連通するガス通路１３が形成され、ガス通路１３には、接続アダプタ１０に向かう内向きの通気を許容する逆止弁１４が設けてある。導入ノズル１２の端部には、炭酸ガスボンベが接続される。炭酸ガスボンベ内の炭酸ガスは、ガス通路１３及び逆止弁１４を介して接続アダプタ１０の内部に導入される。
【００３０】
接続アダプタ１０の他側端部には、有底円筒状をなす雄口金９の開口側端部が同軸をなして螺合固定されている。接続アダプタ１０と雄口金９との間には、仕切り板１５が挟持されている。仕切り板１５の中央部には、接続アダプタ１０の内部に向けて通水筒１６が同軸的に突設され、通水筒１６の周囲には、厚さ方向に貫通する通気孔１７が形成されている。通水筒１６の外周にはシール用のＯリング１８が巻装されている。
【００３１】
雄口金９の底部には、通水筒９０が同軸的に保持され、通水筒９０の周囲には、底部を厚さ方向に貫通する通気孔９１が形成されている。通水筒９０は、内側及び外側に延びており、内側への延設端は、接続アダプタ１０との接続により通水筒１６と液密に連続するように構成してある。通水筒９０の外側への延設端部は、拡径され、雌口金８の通水筒８２への外嵌接続を可能とした接続部９２が設けられている。雄口金９の底部側端部は、雌口金８の小径部に内嵌可能な外径を有しており、該端部には、シール用のＯリング９３が巻装されている。
【００３２】
雄口金９の開口側には、保持筒９４が設けてあり、該保持筒９４に回転環１００が外嵌保持されている。図３は、雄口金９及び回転環１００の斜視図である。保持筒９４は、雄口金９の軸心に対して偏心した外周を有し、肉厚が周方向に連続して変化する周壁を有する偏心円筒であり、該保持筒９４には、規制溝９５が形成されている。規制溝９５は、半円形の断面を有しており、保持筒９４の外周面に、軸長方向の中央部で薄肉部分（図の手前側）から厚肉部分（図の奥側）までの略半周に亘って延び、厚肉側の端部で軸長方向に立ち上げられ、端面に連続するように形成されている。図５中には、端面への連続部が示されている。なお図３中の９３ａは、Ｏリング９３を保持するＯリング溝である。
【００３３】
回転環１００は、相互に偏心した内、外周を有し、肉厚が周方向に連続して変化する周壁を有する偏心円筒であり、一側の端部には、外向きに張り出す鍔状の操作部１０１が周設されている。回転環１００の偏心量は、保持筒９４の偏心量と等しくしてあり、回転環１００の内径は、保持筒９４の外径と同じである。回転環１００の周壁には、内、外に貫通する窓孔１０２が形成されている。窓孔１０２は、一辺を操作部１０１に沿わせた矩形孔であり、厚肉部分（図の手前側）の中央から周方向両側に略半周に亘って延びている。回転環１００の内面には、薄肉部分（図の奥側）の中央位置に半球状の規制突起１０３が突設されている
【００３４】
このように構成された回転環１００は、保持筒９４に対し、該保持筒９４の端面への規制溝９５の連続部に規制突起１０３が一致するように周方向に位置合わせし、図３中に矢符により示すように、規制溝９５に規制突起１０３を係合させながら保持筒９４に嵌め合わせて雄口金９に保持される。図４は、回転環１００を保持した雄口金９を接続アダプタ１０に取り付けた状態を示す側面図である。
【００３５】
規制溝９５は、保持筒９４の厚肉部分で端面に連続しており、規制突起１０３は、回転環１００の薄肉部分の内周に形成されている。また、保持筒９４及び回転環１００の偏心量は等しい。従って、前述の如く保持された回転環１００の外周は、図４に示す如く、雄口金９と同軸となり、保持筒９４に連続する大径部の外周と略一致する。このように保持された回転環１００は、操作部１０１を把持して回転操作することができる。操作部１０１の外面には、図４に示すように、滑り止めのためのローレット目が形成されている。
【００３６】
接続アダプタ１０は、回転環１００を保持する雄口金９を、図２中に矢符により示すように、送気、送水口５２を形成する雌口金８に嵌め合わせることで接続される。図５は、送気、送水口５２への接続アダプタ１０の接続手順の説明図である。保持筒９４の大径部は、雌口金８の開口部に設けた係合部８０に嵌め合わせ可能な外径を有しており、図５Ａに示す如く、雄口金９は、回転環１００と共に雌口金８に嵌め合わされる。
【００３７】
図５Ｂは、嵌め合わせの後、回転環１００を半回転させた状態を示している。回転環１００は、保持筒９４を支持体として生じ、該保持筒９４は、前述したように雄口金９の軸心に対して偏心回転し、半回転後の回転位置においては、回転環１００の厚肉部分が保持筒９４の厚肉部分に重なる。厚肉部分は、図５Ｂに示すように、保持筒９４及び回転環１００夫々の偏心量δの２倍分だけ外側に張り出し、厚肉部分を中心として回転環１００の周壁に形成された窓孔１０２の縁部が、雌口金８の開口部の内周縁から内向きに張り出す係合部８０に係合する。この係合により雄口金９は、雌口金８に抜け止め固定され、接続アダプタ１０は、送気、送水口５２に強固に接続される。回転環１００は、雄口金９を抜け止め固定するロック部材として機能する。
【００３８】
送気、送水装置７から延びる送気、送水管７３の接続プラグ７４は、雄口金９と同様の口金を備えており、送気、送水管７３は、前述の如く送気、送水口５２と同様の構成を有する接続アダプタ１０の接続口１１に同様の手順で接続される。送気、送水管７３は、コネクタ部５の送気、送水口５２に直接接続することもできる。
【００３９】
以上の接続により、雌口金８の内部では、雄口金９の通水筒９０に設けた接続部９２が通水筒８２に外嵌され、通水筒８２と通水筒９０とは、Ｏリング８４による水密を保って連通する。接続アダプタ１０内部の通水筒１６は、接続プラグ７４から延びる通水筒にＯリング１８による水密を保って連通する。これにより、接続アダプタ１０の内部には、通水筒１６、９０、８２による通水路が形成され、該通水路の外側には、通気孔１７、９１、８３により相互に連通する環状の通気路が形成される。
【００４０】
送気、送水管７３からの送気、送水は、以上のような通気路及び通水路を通ってコネクタ部５内の送気、送水路４０に送り込まれ、挿入部２の先端部２２から送り出される。送気は、例えば、上部消化管用の内視鏡１において、挿入部２の挿入時に狭い管腔を膨らませるために実施される。送水は、先端部２２に設けられた撮像、照明用の窓、又は観察箇所を洗浄するために実施される。送気、送水は、操作部３に設けた送気、送水ボタン３１の操作により、遮断を含めて切換えられる。
【００４１】
接続アダプタ１０に突設された導入ノズル１２は、接続アダプタ１０内の通気路に連通しており、導入ノズル１２から導入される炭酸ガスは、送気、送水路４０に送り込まれ、挿入部２の先端部２２から送り出される。炭酸ガスの送気は、例えば、下部消化管用の内視鏡１において、管腔内部に滞留する可燃性ガスを不燃性の炭酸ガスに置換するために実施される。炭酸ガスの送気も、送気、送水ボタン３１の操作により通断される。
【００４２】
以上の接続構造において、雄口金９は、雌口金８への嵌め合わせの後、回転環１００を偏心軸周りに半回転させる簡易な操作で抜け止め固定される。回転環１００の回転は、規制溝９５及び規制突起１０３の作用により、係合位置と非係合位置とで規制されるから、雄口金９の固定及び固定解除は、雌口金８への嵌め合わせ下での操作により確実に行わせることができる。雄口金９は、回転環１００の窓孔１０２が、雌口金８の開口部周縁の鍔状の係合部８０に係合することで固定されている。この固定は、内視鏡１の使用時に接続アダプタ１０に外力が加わった場合においても維持され、また炭酸ガスの使用時に高い内圧が加わった場合にも維持される。
【００４３】
回転環１００は、雌口金８の内周部に係合してロック部材として機能するから、雌口金８は、図２に示すように、内視鏡１のコネクタ部５に外表面と面一の開口を有して埋設することができる。従って、内視鏡１の使用後の洗浄、消毒作業中に、内視鏡１の他部、特に、挿入部２に含まれる軟性部２０が雌口金８との衝突により傷付く虞を軽減することができる。雌口金８は、外表面から段落ちした開口を有してコネクタ部５に埋設することもできる。
【００４４】
接続アダプタ１０は、従来の送気、送水口５２に接続することもできる。図６は、従来の送気、送水口５２への接続アダプタ１０の接続状態を示す断面図である。図示の送気、送水口５２は、コネクタ部５の側壁を貫通する貫通孔に、該側壁から一部を突出させて固設された雌口金８を備えている。雌口金８の突出端部の外周には、押えナットを螺合するためのねじ部８５が形成されている。
【００４５】
接続アダプタ１０は、雄口金９を雌口金８に図示の如く嵌め合わせ、回転環１００を偏心軸周りに半回転させる簡易な操作により送気、送水口５２に接続される。図６中には、接続後に接続アダプタ１０、雄口金９及び雌口金８により形成される通気路及び通水路を破線により示してある。
【００４６】
（実施の形態２）
図７は、実施の形態２に係る接続構造の説明図である。本図は、図４と同様、雄口金９を接続アダプタ１０に取り付けた状態を示す側面図である。図８は、送気、送水口５２への接続アダプタ１０の接続手順の説明図である。以下の説明において、実施の形態１と同様の構成については、実施の形態１と同一の参照符号を付して説明を省略する。
【００４７】
実施の形態２において、雄口金９には、止め輪２００と移動環３００とが保持されている。止め輪２００は、周方向の一部を欠落させた円環、所謂、Ｃ形止め輪であり、雄口金９の保持筒９６の先端部側に適宜の隙間を隔てて外嵌保持されている。保持筒９６は、実施の形態１の保持筒９４とは異なり、雄口金９の他部と同軸である。
【００４８】
移動環３００は、薄肉の円筒体であり、止め輪２００よりも基部側で雄口金９の保持筒９６に軸長方向への移動自在に保持されている。移動環３００の基端側には、拡径により外向きに張り出す鍔状の操作部３０１が連設されており。該操作部３０１の内周に設けた雌ねじ部が、雄口金９の対応位置の外周に設けた雄ねじ部に螺合させてある。移動環３００は、操作部３１０を把持して回転操作することによりにより軸長方向に螺進移動する。操作部３０１の外周面には、回転操作時の滑り止めのためのローレット目が形成されている。
【００４９】
以上のような雄口金９は、図８Ａに示すように、移動環３００を止め輪２００から離して位置させておき、雌口金８に嵌め合わせる。このとき止め輪２００は、雌口金８の開口部に設けた係合部８０により内向きに押され、切欠き部の幅を縮めることで保持筒９６との間の隙間の範囲内で縮径し雌口金８の内部に入り込み、弾性復帰により拡径して、図８Ａに示すように係合部８０に係合する。止め輪２００の外面は、係合部８０の作用による縮径を補助するために、円弧形の凸形状を有している。
【００５０】
以上の嵌め合わせを完了した後、移動環３００を回転操作し、止め輪２００に向けて移動させる。移動環３００の先端部は、図８Ｂに示すように、拡径した止め輪２００と保持筒９６との間の隙間に入り込み、止め輪２００を拡径方向に付勢する。これにより止め輪２００の縮径が規制され、係合部８０との係合を保つから、雄口金９は、強固に抜け止め固定され、この固定は、内視鏡１の使用時に接続アダプタ１０に外力が加わった場合、また炭酸ガスの使用時に高い内圧が加わった場合にも維持される。
【００５１】
移動環３００は、雄口金９に螺合せず、軸長方向に押し引きすることにより移動させる構成としてもよい。実施の形態２においては、止め輪２００及び移動環３００がロック部材として機能する。
【００５２】
なお、今回開示された実施の形態は、すべての点で例示であって制限的なものではないと考えられるべきである。本発明の範囲は、上記した意味ではなく、特許請求の範囲によって示され、特許請求の範囲と均等な意味および範囲内でのすべての変更が含まれることが意図される。
【符号の説明】
【００５３】
１  内視鏡
５  コネクタ部
７  送気、送水装置
８  雌口金
９  雄口金
１０  接続アダプタ
１１  接続口（第１接続口）
１２  導入ノズル（第２接続口）
４０  送気、送水路
７３  送気、送水管
９５  規制溝（規制部）
１００  回転環（ロック部材）
１０３  規制突起（規制部）
２００  止め輪（ロック部材）
３００  移動環（ロック部材）
【図１】
2020174793.tif 000003
【図２】
2020174793.tif 000004
【図３】
2020174793.tif 000005
【図４】
2020174793.tif 000006
【図５】
2020174793.tif 000007
【図６】
2020174793.tif 000008
【図７】
2020174793.tif 000009
【図８】
2020174793.tif 000010